(57)【要約】【課題】  通話中であっても、電話番号を簡便に一時記憶させることができ、利便性に優れた電話番号表示装置を提供する。【解決手段】  電話番号表示装置は、電話番号を入力する入力部と、入力された電話番号を表示する表示部と、一端が前記携帯電話に取り付けられるストラップと、を備える。この電話番号表示装置は、携帯電話とは別個独立であり、ストラップの一端を携帯電話に取り付けることで携帯電話に取り付けられ、電話番号を入力し、表示部により電話番号を表示させる【選択図】  図１
0003105370.tif 000002
【実用新案登録請求の範囲】
【請求項１】
携帯電話に着脱自在に取り付けられる電話番号表示装置であって、
電話番号を入力する入力部と、
入力された電話番号を表示する表示部と、
一端が前記携帯電話に取り付けられるストラップと、
を備えること、
を特徴とする電話番号表示装置。
【請求項２】
携帯電話に着脱自在に取り付けられる電話番号表示装置であって、
表示装置本体と、
前記表示装置本体に設けられ、電話番号を入力する入力部と、
前記表示装置本体に設けられ、入力された電話番号を表示する表示部と、
一端が前記携帯電話に取り付けられるストラップと、
前記ストラップと前記表示装置本体とを着脱自在に連結するワンタッチ着脱機構と、
を備えること、
を特徴とする電話番号表示装置。
【考案の詳細な説明】
【技術分野】
【０００１】
この考案は、携帯電話に取り付けられ、電話番号を入力・表示する電話番号表示装置に関する。
【背景技術】
【０００２】
携帯電話には、ストラップが取り付けられることが多い。携帯電話には、ストラップに付帯する取付紐を通すフックが備えられている。このフックに取付紐を通し、取付紐の輪の中にストラップを通して締め付けることで、携帯電話にストラップが取り付けられる。
【０００３】
携帯電話に取り付けられるストラップは、帯状の吊り部材によって吊り機能を有するストラップや、携帯電話が着信すると光源体を点滅させる回路を有するものまで様々である。
【０００４】
ところで、１０４番等の電話番号案内サービスによって電話番号を聞くことがある。また、通話している際、先方から不用意に不知の電話番号を聞くことがある。このような場合、携帯電話により通話中である利用者は、聞いた電話番号を書き留めるために筆記用具を必要とする。筆記用具を用意して電話番号を書き留める作業は、片手が携帯電話によりふさがっている利用者にとっては、煩雑なものである。
【考案の開示】
【考案が解決しようとする課題】
【０００５】
本考案は、上述のような問題点に鑑みてなされたものであり、通話中であっても、電話番号を簡便に一時記憶させることができる利便性に優れた電話番号表示装置を提供することにある。
【課題を解決するための手段】
【０００６】
上記課題を解決するために、請求項１に記載の考案は、携帯電話に着脱自在に取り付けられる電話番号表示装置であって、電話番号を入力する入力部と、入力された電話番号を表示する表示部と、一端が前記携帯電話に取り付けられるストラップと、を備えること、を特徴とする。
【０００７】
かかる構成は、携帯電話とは別個独立であり、かつストラップの一端を携帯電話に取り付けることで携帯電話に取り付けられた電話番号表示装置によって、電話番号を入力し、表示部により電話番号を表示させるものである。したがって、通話中であっても、電話番号を簡便に一時記憶させることができ、利便性に優れる。
【０００８】
また、請求項２に記載の考案は、携帯電話に着脱自在に取り付けられる電話番号表示装置であって、表示装置本体と、前記表示装置本体に設けられ、電話番号を入力する入力部と、前記表示装置本体に設けられ、入力された電話番号を表示する表示部と、一端が前記携帯電話に取り付けられるストラップと、前記ストラップと前記表示装置本体とを着脱自在に連結するワンタッチ着脱機構と、を備えること、特徴とする。
【０００９】
かかる構成は、携帯電話とは別個独立であり、かつストラップの一端を携帯電話に取り付けることで携帯電話に取り付けられた電話番号表示装置によって、電話番号を入力し、表示部により電話番号を表示させるものである。そして、この電話番号の入力及び表示の際、ワンタッチ着脱機構によって表示装置本体をストラップと切り離すことができ、携帯電話から即座に取り外すことができる。したがって、通話中であっても、電話番号を簡便に一時記憶させることができるとともに、携帯電話から簡便に取り外すことができ、さらに利便性に優れる。
【考案の効果】
【００１０】
本考案の電話番号表示装置は、携帯電話に着脱自在に取り付けられる電話番号表示装置であって、電話番号を入力する入力部と、入力された電話番号を表示する表示部と、一端が前記携帯電話に取り付けられるストラップと、を備える。この電話番号表示装置は、携帯電話とは別個独立であり、ストラップの一端を携帯電話に取り付けることで携帯電話に取り付けられ、入力部により電話番号を入力し、表示部により電話番号を表示させるものである。したがって、通話中であっても、電話番号を簡便に一時記憶させることができ、利便性に優れる。
【考案を実施するための最良の形態】
【００１１】
以下、この考案の一実施形態について図１乃至図２に基づき詳細に説明する。図１は、本実施形態における電話番号表示装置の外観図である。図２は、本実施形態における電話番号表示装置の使用時における図であり、携帯電話から電話番号表示装置を取り外した図である。
【００１２】
まず、本実施形態にかかる電話番号表示装置について図１及び図２に基づき詳細に説明する。
【００１３】
本実施形態にかかる電話番号表示装置１は、図１に示すように、表示装置本体２の表面に入力部４と、ハイフンボタン９およびＯＮ／ＯＦＦボタン１０と、表示部３と、太陽電池パネル５を配する。また、表示装置本体２の頭部には、ワンタッチ着脱機構７が設置され、このワンタッチ着脱機構７を介してストラップ６が連結されている。
【００１４】
入力部４は、１０個の数字入力ボタンで構成され、それぞれに０乃至９より選ばれる一の数字が記載されている。入力部４を適宜押下することにより０乃至９の数字が対応して電話番号表示装置１に入力される。
【００１５】
ハイフンボタン９は、電話番号の市外局番と局番と番号の区切りとして、ハイフンを入力するボタンであり、ＯＮ／ＯＦＦボタン１０は、電話番号表示装置１の電源をＯＮ／ＯＦＦするボタンである。太陽電池パネル５は、戸外等で使用する際に電力を供給するパネルである。
【００１６】
表示部３は、液晶により構成され、入力部４によって入力された電話番号やハイフンボタンによって入力された区切りを表示させる。この表示部３の桁数は、電話番号に合わせた桁数にしてもよいし、少なくとも、２種の電話番号を連続表示できるような桁数であってもよい。
【００１７】
ストラップ６は、先端に携帯電話に取り付ける取付紐８を含む。
【００１８】
ワンタッチ着脱機構７は、図２に示すように、ソケット７ａとプラグ７ｂとを有する。表示装置本体２側にソケット７ａが設置され、ストラップ６側にプラグ７ｂが設置される。ワンタッチ着脱機構７は、このソケット７ａとプラグ７ｂとが分離可能に係合するものである。ソケット７ａとプラグ７ｂの係合が解除されると、表示装置本体２とストラップ６が切り離され、表示装置本体２が携帯電話から取り外せるようになる。
【００１９】
尚、本実施形態において、ワンタッチ着脱機構７は、ソケット７ａとプラグ７ｂにより構成したが、これに限られるものではない。例えば、表示装置本体２側にクリップを設置し、ストラップ６を挟み込むことによって、表示装置本体２とストラップ６との間に介在するようにしてもよい。
【００２０】
このような電話番号表示装置１の使用方法を図１乃至図２に基づき詳細に説明する。
【００２１】
通常状態において、電話番号表示装置１は、取付紐８を介して携帯電話１１に取り付けられている。利用者は、携帯電話１１による通話中に電話番号を記憶させる必要が生じた場合等において、電話番号表示装置１を使用することができる。
【００２２】
まず、図２に示すように、利用者は、通話中において、空いている手でワンタッチ着脱機構７のソケット７ａとプラグ部７ｂの係合を解除し、携帯電話１１に取り付けられたストラップ６と、ワンタッチ機構７により連結していた表示装置本体２とを切り離す。このとき、ソケット７ａとプラグ７ｂとが分離し、携帯電話１１側にストラップ６が残ることによって、表示装置本体２が切り離される。
【００２３】
切り離された表示装置本体２のＯＮ／ＯＦＦボタン１０を押下すると、電源が入り、電話番号の入力が可能となる。
【００２４】
利用者は、例えば電話番号０３−１２３４−５６７８という番号を聞き、それを記憶させたい場合、その数字列順に入力部４を操作する。入力部４は、０乃至９の数字に対応した数字入力ボタンによって電話番号を入力するものであり、通話先の電話番号通知に遅れることなく入力が可能となる。入力部４を操作して電話番号を入力すると、表示部３に入力した電話番号が表示される。この場合、電話番号０３１２３４５６７８が表示される。
【００２５】
間にハイフンを入れたい場合には、適宜ハイフンボタン９を押下することによって、ハイフンが表示部３に表示される。０３と１２３４と５６７８の間にハイフンを入力した場合、表示部３に電話番号の０３−１２３４−５６７８と表示される。間にハイフンを入れると、後に電話番号を見直した際に、単なる数字列としてではなく、電話番号として認識しやすく、利用者の視認性に優れる。
【００２６】
このように、本実施形態にかかる電話番号表示装置１は、携帯電話１１に取り付けられ、かつ表示装置本体２を携帯電話１１から即座に取り外すことが可能となっており、通話中に不意に電話番号を聞いた際にもカバンを探りメモ帳と筆記具を取り出す必要なく、簡便に電話番号を記憶させることができ、利便性に優れる。
【図面の簡単な説明】
【００２７】
【図１】本実施形態における電話番号表示装置の外観図である。
【図２】本実施形態における電話番号表示装置の使用時における図であり、携帯電話から電話番号表示装置を取り外した図である
【符号の説明】
【００２８】
１    電話番号表示装置
２    表示装置本体
３    表示部
４    入力部
５    太陽電池パネル
６    ストラップ
７    ワンタッチ着脱機構
７ａ  ソケット
７ｂ  プラグ
８    取付紐
９    ハイフンボタン
１０  ＯＮ／ＯＦＦボタン
１１  携帯電話
【図１】
0003105370.tif 000003
【図２】
0003105370.tif 000004